(57)【要約】【課題】原稿を押さえる圧板を斜めからの向きで押さえるのではなくて、より適切に押さえるような構成にすることで、原稿の位置ずれ、画質の歪みをなくすことができる画像読み取り装置を提供することにある。【解決手段】原稿３の読み取りを行うための透明な原稿台４と、前記原稿３を押さえる圧板２を備えている画像読み取り装置１において、厚い本等の原稿３をスキャン動作させるさいに、前記圧板２の高さを変更可能にする圧板高さ変更手段６、７、８を有する。【選択図】      図１
2004272020.tif 000002
【特許請求の範囲】
【請求項１】
読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、前記圧板の高さを変更可能にする圧板高さ変更手段を有することを特徴とする画像読み取り装置。
【請求項２】
読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、前記圧板の高さの変更を行うために圧板を曲げることができる圧板屈曲手段を有することを特徴とする画像読み取り装置。
【請求項３】
読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、画質の歪み等を減少させるために、前記原稿を手前側より固定する位置ずれ防止手段を備えたことを特徴とする画像読み取り装置。
【請求項４】
請求項１に記載の圧板高さ変更手段、請求項２に記載の圧板屈曲手段、又は請求項３に記載の位置ずれ防止手段のうち、少なくとも２つの手段を備えたことを特徴とする画像読み取り手段。
【発明の詳細な説明】
【０００１】
【発明の属する技術分野】
本発明は、複写機、スキャナ、プリンタ等の画像読み取り装置に関するものである。
【０００２】
【従来の技術】
厚い本等をコンタクトガラス上にセットしてコピー、スキャンするさいに、位置ずれ、ページ間での画質の歪が発生する場合に、読み取り条件を変更することにより上記不具合を解消する技術は知られており（例えば、特許文献１参照）、また、原稿が正しく設置されてないときや画像の歪みが補正限界を超えているときに警告を発する技術も知られている（例えば、特許文献２参照）。
【特許文献１】特開２０００−１１５５１０公報
【特許文献２】特開平８−９７９７５号公報
【０００３】
【発明が解決しようとする課題】
従来技術において、厚い本等をコピー、スキャンするさいに位置ずれ、またはページ間での画質の歪が生じる場合に、上記特許文献１には、画像を読み取る読み取り部と、その読み取り部の読み取り条件を変更する読み取り条件変更部と、画像補正部と、を有し、非接触で画像を読み取る方法が開示されている。
また、特許文献２には、撮像素子により原稿を読み取り、原稿のサイズを演算するとともに画像処理し、さらに、原稿が正しく設置されていないときや画像の歪みが補正限界を超えているときに警告を発する、という技術が開示されている。
辞書等の厚い本をコンタクトガラス上にセットしてコピーするさい、圧板で押さえても原稿の位置がうまく固定できずそのままスキャン動作、コピー動作して、位置ずれが生じる。また、ページ間の繋ぎ目部分は、画質が歪むことが多々ある。これらを解消するために、上記従来技術では、画像処理を行っている。
図１０は従来の画像読み取り装置の原稿押さえ構造を厚い原稿を載置した状態で示す概略図である。図１１は図１０の原稿押さえ構造を原稿なしの状態で示す概略図である。これらの図において、画像読み取り装置１には原稿台（コンタクトガラス）４上に原稿３を押さえる原稿押さえ構造として圧板２を備えている。
従来の技術は原稿台４に載置された原稿３を押さえるために圧板２で押さえるが、図１０のように圧板から原稿３に対して斜め上方向から力が加わるため、厚い辞書等の本をスキャンすると圧板２に加わる力の方向（斜め方向）に原稿位置がずれて、それに伴って画像もずれてしまう。
このように上記従来技術によると、辞書等の厚い本を原稿３としてコピーするさい、圧板２を押さえるだけでは、原稿３の位置がずれてしまい、うまく固定できずそのままスキャン動作、コピー動作を実施することによって、位置ずれが生じてしまう。
そこで本発明の目的は、上記の問題点を解決するために、原稿を押さえる圧板を斜めからの向きで押さえるのではなくて、より適切に押さえるような構成にすることで、原稿の位置ずれ、画質の歪みをなくすことができる画像読み取り装置を提供することにある。
【０００４】
【課題を解決するための手段】
前記の課題を解決するために、請求項１記載の発明では、読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、前記圧板の高さを変更可能にする圧板高さ変更手段を有することを特徴とする。
請求項２記載の発明では、読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、前記圧板の高さの変更を行うために圧板を曲げることができる圧板屈曲手段を有することを特徴とする。
請求項３記載の発明では、読取り対象物としての原稿をセットする透明な原稿台と、原稿台上に原稿を押さえる圧板と、原稿台下に位置するスキャナと、を備えた画像読み取り装置において、厚いブック原稿をスキャナにより読取る際に、画質の歪み等を減少させるために、前記原稿を手前側より固定する位置ずれ防止手段を備えたことを特徴とする。
請求項４記載の発明では、請求項１に記載の圧板高さ変更手段、請求項２に記載の圧板屈曲手段、又は請求項３に記載の位置ずれ防止手段のうち、少なくとも２つの手段を備えたことを特徴とする。
【０００５】
【発明の実施の形態】
以下、図面により本発明の実施の形態を詳細に説明する。図１は本発明による画像読み取り装置の第１の実施の形態として圧板と原稿台の接続を示す概略図である。図２は図１の圧板と原稿台の接続を有する画像読み取り装置に原稿を載置した状態を示す概略図である。
図１において、圧板２と原稿台４の接続部５（ヒンジ部）にはばね６を有しており、容易に上下動作を可能にできる。原稿が厚い本である場合には圧板２の係止部７からフック８を外す（図１の状態）ことで、高さの調整が容易にできて、本の厚さによって圧板２を固定する。即ち、符号２ａで示す支持部が伸縮、或いは上下動可能に構成されている。また、圧板２は支持部２ａの上部によって開閉可能に軸支されている。フック８は、例えば原稿台４側に基端部を回動自在に支持され、その先端部を圧板２側に設けた係止部７に引っ掛けて圧板２（支持部２ａ）の上下動を阻止することができる。フック８は、例えば伸縮性、バネ性を備えた構成としてもよい。係止部７を複数段階の高さ位置に設けて圧板２の高さ位置を原稿となる本の厚さに応じて調整する。
また、フック８を係止部７に掛けて圧板２の高さを低く保持することによって、原稿が厚い本でなく薄い紙の場合にその薄い紙をスキャンすることが可能になる。このように本発明の実施の形態は、原稿の読み取りを行うための透明な原稿台４と、原稿３を押さえる圧板２を備えた画像読み取り装置１において行われる。
これによって原稿３の画像のずれをなくすために、原稿に加わる力の向きを下に垂直にして原稿３を押さえることによって、原稿３の位置のずれをなくして、画像のズレも防ぐことができる。さらに本のページ間部分のスキャンした画像の歪みも減少させることができる。
このように図１および図２における第１の実施の形態（圧板高さ変更手段）によれば、原稿３を押さえる圧板２の高さを容易に変更できる画像読み取り装置を、圧板２とスキャナ部（原稿台）４の接続部５で圧板２の高さを変更させている。
【０００６】
図３は本発明による画像読み取り装置の第２の実施の形態として圧板の屈曲構造（圧板屈曲手段）を説明する概略斜視図である。図４は図３の圧板の裏側を示す概略図である。図５は図３の圧板の表側を示す概略図である。図６は図３の圧板を有する画像読み取り装置に原稿を載置した状態を示す概略図である。
図３の圧板２は曲げることが可能で、点線で示す曲げ線９において屈曲することによって辞書等のごとき厚い本からなる原稿を上から下に押さえる構成にしている。つまり、原稿の厚さ、形状の変化に追随して局所的に屈曲するように構成されているので、原稿の上面形状に密着しつつ下方へ向けて押えることができる。
圧板２の屈曲はこの圧板２自体を何段階かに曲げられるような構成にして、圧板２の裏側は曲げられるような構造、例えば、図４の蝶番１０を用いて、圧板２の表側に設けた図５のフック１１を係止部１２に引っ掛けて固定させる。なお、蝶番１０を用いずに、曲げ線９に相当する部分を薄肉にしたり、屈曲し易い材質を用いることにより、その部分だけを局部的に屈曲し易く構成してもよい。
以上のような構成で圧板２を曲げることで、図６に示すごとく屈曲部Ａ、Ｂ、Ｃ、Ｄが曲げ線９に沿って屈曲可能であり、原稿３である厚い本に合わせた高さに調整して厚い原稿をスキャン、コピー動作を実施することができる。
【０００７】
図７は厚い本の原稿台への載置を示す概略図である。図８は本発明による画像読み取り装置の第３の実施の形態を示す概略図である。図９は図８の第３の実施の形態を、原稿を除いて示す概略側面図である。
この第３の実施の形態では、原稿３である厚い本をスキャナ（原稿台）４上で原稿位置規定面１３（原稿台４よりも高い段差）とは反対の面、すなわち、紙面において下部（手前側）から本を押さえて固定できるような位置ずれ防止手段１４を有している。
図７に示した原稿載置では、厚い辞書などは斜めからの力が加わるだけで、画像の位置がずれる（図示しない原稿圧板の接続部５はこの例では原稿台４の上辺に沿って配置されている）。この場合に、図８の位置ずれ防止手段１４を使用してスキャナ（原稿台）４上で原稿位置規定面１３と反対の面、すなわち、紙面において下部から本を押さえれば、原稿３の位置ずれをなくすことができる。
下部から原稿３である本を押さえる位置ずれ防止手段１４はこの実施の形態では、図９に示すように原稿３の大きさに合わせてスキャナ（原稿台）４上を摺動可能にするために、例えば、車輪１５で動作するように構成されている。
なお、圧板高さ変更手段、圧板屈曲手段、又は位置ずれ防止手段は、夫々単独に適用することもできるし、これらのうち、少なくとも２つの手段を併用した構成も実用性が高い。
【０００８】
【発明の効果】
以上説明したように、請求項１によれば、原稿を押さえる圧板を真上から垂直に押さえるような構成にすることで、原稿の位置ずれ、画質の歪みをなくすことが可能になり、操作性が改善され、また、印刷ミスを減少することが可能になり、用紙の消費を節約できる。
請求項２によれば、原稿を押さえる圧板の高さを容易に変更できる構成にすることで、画像読み取り装置の操作性が改善される。
請求項３によれば、原稿を押さえる圧板の高さを容易に変更できる構成にすることで、画像読み取り装置の操作性が改善される。
【図面の簡単な説明】
【図１】本発明による画像読み取り装置の第１の実施の形態として圧板と原稿台の接続を示す概略図である。
【図２】図１の圧板と原稿台の接続を有する画像読み取り装置に原稿を載置した状態を示す概略図である。
【図３】本発明による画像読み取り装置の第２の実施の形態として圧板の屈曲構造を説明する概略斜視図である。
【図４】図３の圧板の裏側を示す概略図である。
【図５】図３の圧板の表側を示す概略図である。
【図６】図３の圧板を有する画像読み取り装置に原稿を載置した状態を示す概略図である。
【図７】厚い本の原稿台への載置を示す概略図である。
【図８】本発明による画像読み取り装置の第３の実施の形態を示す概略図である。
【図９】図８の第３の実施の形態を、原稿を除いて示す概略側面図である。
【図１０】従来の画像読み取り装置の原稿押さえ構造を厚い原稿を載置した状態で示す概略図である。
【図１１】図１０の原稿押さえ構造を原稿なしの状態で示す概略図である。
【符号の説明】
１  原稿読み取り装置
２  圧板
３  原稿（厚い本）
４  原稿台（スキャナ部）
６  ばね（高さ位置変更手段）
７  係止部（圧板高さ位置変更手段）
８  フック（高さ位置変更手段）
９  曲げ線（圧板高さ位置変更手段）
１０  蝶番（圧板屈曲手段）
１１  フック（圧板屈曲手段）
１２  係止部（圧板屈曲手段）
１４  原稿下部押さえ手段（位置ずれ防止手段）
【図１】
2004272020.tif 000003
【図２】
2004272020.tif 000004
【図３】
2004272020.tif 000005
【図４】
2004272020.tif 000006
【図５】
2004272020.tif 000007
【図６】
2004272020.tif 000008
【図７】
2004272020.tif 000009
【図８】
2004272020.tif 000010
【図９】
2004272020.tif 000011
【図１０】
2004272020.tif 000012
【図１１】
2004272020.tif 000013